(57)【特許請求の範囲】
【請求項１】
固定部側に取付けた座席シート２に取付軸３により背凭シート４を回動自在に取付け、座席シート２と背凭シート４の間には前記背凭シート４が前記座席シート２上に重合する前倒状態のときロックするロック装置を設け、前記背凭シート４の裏面には該背凭シート４の長さ方向に長い補助シート用凹部１６を形成し、該補助シート用凹部１６には、不使用のとき該補助シート用凹部１６内に格納され前記背凭シート４が前倒状態のとき起立させて使用する間回動するように基部を前記背凭シート４の先端側の補助シート用凹部１６内に軸着した補助背凭シート２５と、前記補助シート用凹部１６の底部に形成した補助座席シート１７とからなる補助シート１５を設け、前記補助背凭シート２５の回動位置を保持する保持機構を前記補助背凭シート２５の軸着部に設けたものにおいて、前記前記補助シート用凹部１６と前記背凭シート４の先端部の間には上側土手部４３を形成し、該上側土手部４３の下面は前記補助背凭シート２５を起立させたとき当接する補助背凭支持面４４に形成した格納式補助シート。
【請求項２】
請求項１において、前記補助背凭シート２５は背凭シート４側に横軸３０により軸着し、該横軸３０には格納用係合溝３３および使用係合溝３４を形成したロックプレート３１を固定し、前記背凭シート４側には、該シート４側に回転自在取付けた取付部３６と、該取付部３６の一端に形成しシート４側に常時当接する反転部３７と、前記取付部３６の他端に形成し前記格納用係合溝３３および使用係合溝３４に係合する係合部３８と、該係合部３８に続いて形成したロック解除レバー３９とからなるロックスプリング３５を設け、前記ロックプレート３１およびロックスプリング３５により前記補助背凭シート２５の回動位置を保持する保持機構を構成した格納式補助シート。
【請求項３】
請求項２において、前記座席シート２と前記背凭シート４の間には該背凭シート４の傾斜角度を調節し得るリクライニング装置５を設け、該リクライニング装置５は、ロックギヤ４８が係合するセクタギヤ４７に、通常の傾斜角度を調節するリクライニング用歯部４９と背凭シート４を前倒しさせたとき係合する前倒し用歯部５０との間に無歯部を形成して構成し、該リクライニング装置５により前記背凭シート４が前記座席シート２上に重合する前倒状態のときロックするロック装置とした格納式補助シート。
【発明の詳細な説明】
【０００１】
【産業上の利用分野】
本発明は、子供の使用するいわゆるチャイルドシートとしても使用可能な格納式補助シートに係るものである。
【０００２】
【従来技術】
従来公知の、実開昭６２−２４５８１号公報には、車体側に取付けた座席シートに取付軸により背凭シートを回動自在に取付け、座席シートと背凭シートの間には前記背凭シートが前記座席シート上に重合する前倒状態のときロックする保持装置を設け、前記背凭シートの裏面には背凭シートの長さ方向に長い補助シート用凹部を形成し、該補助シート用凹部には、不使用のとき該補助シート用凹部内に格納され前記背凭シートが前倒状態のとき起立させて使用する間回動するように基部を前記背凭シートの先端側の補助シート用凹部内に軸着した補助背凭シートと、前記補助シート用凹部の底部に形成した補助座席シートとからなる補助シートを設け、前記補助背凭シートの回動位置を保持する保持機構を前記補助背凭シートの軸着部に設けた構成について記載されている。
【０００３】
【発明が解決しようとする課題】
前記公知例は、補助背凭シートは単に回動させて起立させ、ロック機構により保持するため、ロック機構の強度を高くする必要があり、コストを高くする。
また、背凭シートを前倒し状態にしたとき、これを保持するロック機構が別途必要なため、構造が複雑になって、コストを上昇させ、また、操作が面倒であるという課題がある。
【０００４】
【発明の目的】
補助シートとしての荷重支持の確実化、軽量化、コスト削減。
【０００５】
【課題を解決するための手段】
本発明は、固定部側に取付けた座席シート２に取付軸３により背凭シート４を回動自在に取付け、座席シート２と背凭シート４の間には前記背凭シート４が前記座席シート２上に重合する前倒状態のときロックするロック装置を設け、前記背凭シート４の裏面には該背凭シート４の長さ方向に長い補助シート用凹部１６を形成し、該補助シート用凹部１６には、不使用のとき該補助シート用凹部１６内に格納され前記背凭シート４が前倒状態のとき起立させて使用する間回動するように基部を前記背凭シート４の先端側の補助シート用凹部１６内に軸着した補助背凭シート２５と、前記補助シート用凹部１６の底部に形成した補助座席シート１７とからなる補助シート１５を設け、前記補助背凭シート２５の回動位置を保持する保持機構を前記補助背凭シート２５の軸着部に設けたものにおいて、前記前記補助シート用凹部１６と前記背凭シート４の先端部の間には上側土手部４３を形成し、該上側土手部４３の下面は前記補助背凭シート２５を起立させたとき当接する補助背凭支持面４４に形成した格納式補助シートとしたものである。本発明は、前記補助背凭シート２５は背凭シート４側に横軸３０により軸着し、該横軸３０には格納用係合溝３３および使用係合溝３４を形成したロックプレート３１を固定し、前記背凭シート４側には、該シート４側に回転自在取付けた取付部３６と、該取付部３６の一端に形成しシート４側に常時当接する反転部３７と、前記取付部３６の他端に形成し前記格納用係合溝３３および使用係合溝３４に係合する係合部３８と、該係合部３８に続いて形成したロック解除レバー３９とからなるロックスプリング３５を設け、前記ロックプレート３１およびロックスプリング３５により前記補助背凭シート２５の回動位置を保持する保持機構を構成した格納式補助シートとしたものである。
本発明は、前記座席シート２と前記背凭シート４の間には該背凭シート４の傾斜角度を調節し得るリクライニング装置５を設け、該リクライニング装置５は、ロックギヤ４８が係合するセクタギヤ４７に、通常の傾斜角度を調節するリクライニング用歯部４９と背凭シート４を前倒しさせたとき係合する前倒し用歯部５０との間に無歯部を形成して構成し、該リクライニング装置５により前記背凭シート４が前記座席シート２上に重合する前倒状態のときロックするロック装置とした格納式補助シートとしたものである。
【０００６】
【実施例】
本発明の一実施例を図により説明すると、１は車両等に用いるシートであり、車両用のシート１の例で説明する。車両用シート１は、車体側に取付けた座席シート２に取付軸３により背凭シート４を回動自在に設け、前記座席シート２と背凭シート４の間にはリクライニング装置５を設けて、前記背凭シート４の傾斜角度を所望角度に調節して保持する。
前記背凭シート４は、任意形状の骨格フレーム６に縦板形状の支持部材７を設け、支持部材７の前側に背凭用クッション材８を設け、該背凭用クッション材８の外周を表皮部材９により包囲し、正面視中央の中央背凭部１０と該中央背凭部１０の左右側に設けた土手部１１により構成している。１２は背凭シート４の上部に設けたヘッドレストである。
しかして、前記背凭シート４の裏側には、補助シート１５を形成する。前記背凭シート４の中央背凭部１０の裏側には補助シート用凹部１６を形成する。補助シート用凹部１６の左右側には前記土手部１１を位置させる。補助シート用凹部１６は、背凭シート４を前倒しさせた状態においてその底部を補助座席シート１７の座面とし、補助座席シート１７は前記骨格フレーム６の支持部材７の裏側上面に補助座席用クッション材１８を設け、補助座席用クッション材１８の外周を表皮部材９により包囲して形成する。
【０００７】
また、補助座席シート１７は、着座者の臀部の位置する部分を凹ませて、臀部支持面１９に形成し、補助座席シート１７の前後中間部には反転式座面形成パッド体２０の基部を取付ける。即ち、反転式座面形成パッド体２０は補助座席シート１７の長さの略半分の長さに形成し、クッション材２１を表皮部材２２により包囲して形成し、反転式座面形成パッド体２０の基部を補助座席シート１７の長さ方向の中間の表皮部材９に縫着して取付け、先端は自由端とし、前記通常は臀部支持面１９の上面（側面）に格納し、前記補助シート１５として使用状態のとき着座者の大腿部下方に位置させ、大腿部を支持する。
したがって、補助座席シート１７は、補助シート１５として使用するとき臀部支持面１９が低く、着座者の大腿部の下方が高くなる傾斜となって、良好に支持し、反転式座面形成パッド体２０を格納すると、補助シート用凹部１６の底部を平坦にする。
【０００８】
しかして、前記補助シート用凹部１６内には補助シート１５を構成する補助背凭シート２５を設ける。補助背凭シート２５は、平板状の補助背凭フレーム２６の周囲に補助背凭クッション材２７を設け、補助背凭クッション材２７の外周を表皮部材２８により包囲して形成する。補助背凭フレーム２６の基部の左右側には一対の取付部２９を設け、該取付部２９を前記骨格フレーム６に横軸３０により回動自在に取付ける。
横軸３０にはロックプレート３１を固定する。ロックプレート３１には補助背凭シート２５が格納状態のときの格納用係合溝３３および使用状態のときの使用係合溝３４を形成する。前記支持部材７の裏面には、ロックスプリング３５の取付部３６を回転自在に取付け、ロックスプリング３５の中央に設けた反転部３７を前記支持部材７に当接させる。前記取付部３６の左右側は折曲して係合部３８に形成し、係合部３８に続いてロック解除レバー３９に形成する。ロックスプリング３５は係合部３８を前記ロックプレート３１の係合溝に係合するように反転部３７により付勢されて係合し、ロック解除レバー３９を押すことにより係合部３８を係合溝より離脱させる。
【０００９】
しかして、前記背凭シート４の先端部と前記補助シート用凹部１６の間には上側土手部４３を形成し、上側土手部４３の上面に前記ヘッドレスト１２を取付ける。上側土手部４３の下面は前記補助背凭シート２５を起立させたとき当接する補助背凭支持面４４に形成し、補助背凭支持面４４は補助背凭シート２５を起立させたときの傾斜に合わせて、使用状態において前側に至るに従い高くなる傾斜面に形成し、補助背凭シート２５に掛かる荷重を支持する。
しかして、前記座席シート２と背凭シート４の間に設けたリクライニング装置５は、公知のものと同様に、前記取付軸３を中心とする扇状のセクタギヤ４７を固定し、該セクタギヤ４７にロックギヤ４８を任意位置にて噛み合うようにして構成するが、セクタギヤ４７には、背凭シート４の着座姿勢における傾斜調節するリクライニング用歯部４９を形成し、リクライニング用歯部４９に続いてまたは無歯部を間に置いて別個に背凭シート４を前倒しさせたときロックギヤ４８が係合する前倒し用歯部５０を形成する。５１はリクライニング操作レバー、５２はバネである。
【００１０】
前記座席シート２の後部左右両側には一対のアッパーブラケット５５を固定する。各アッパーブラケット５５は、その後部をロアーブラケット５６の後部に横軸５７により回動自在に取付ける。アッパーブラケット５５とロアーブラケット５６とは前側部分で重合させ、該重合部分にシート上下ロック装置５８を設ける。シート上下ロック装置５８は前記ロアーブラケット５６にロック用の係合突起５９を出入り自在に設け、前記アッパーブラケット５５には上側係合孔６０a および下側係合孔６０b を形成して構成する。
ロアーブラケット５６はスライドレール６１のアッパーレール６２に固定し、アッパーレール６２は車体側に設けたロアーレール６３にロック装置により任意位置にて固定する。６４は前記係合突起５９に設けたシート上下操作ノブである。
【００１１】
アッパーブラケット５５はシート上下操作ノブ６４を引いて係合突起５９を上側係合孔６０a から外すと、横軸５７中心に前側下方回動し、車両用シート１全体を前側へ低く回動させる。即ち、車種によっては、背凭シート４を前倒し状態で前進させるとダッシュボードシート６５に当たることがあるが、これを回避して、車両用シート１を前進させる。
６６はシートベルトである。
【００１２】
【作用】
次に作用を述べる。
リクライニング操作レバー５１を操作すると、ロックギヤ４８がリクライニング用歯部４９より離脱し、背凭シート４は前倒れして座席シート２の上面に重なり、ロックギヤ４８は前倒し用歯部５０に係合して背凭シート４の前倒れ状態を保持する。
次に、ロック解除レバー３９を押すと、ロック解除レバー３９は取付部３６中心に回動し、取付部３６とロック解除レバー３９の間に形成した係合部３８をロックプレート３１の格納用係合溝３３より離脱させる。
【００１３】
この状態で、補助シート１５の補助背凭シート２５を持ち上げると、補助背凭シート２５は横軸３０中心に回動する。前記ロックプレート３１は横軸３０に固定されているから、補助背凭シート２５の回動により回転し、使用係合溝３４がロックスプリング３５の係合部３８に至ると、係合部３８は反転部３７の弾力により使用係合溝３４に係合する。それゆえ、補助背凭シート２５の回動は停止する。
この場合、前記背凭シート４の先端部と前記補助シート用凹部１６の間には上側土手部４３を形成し、上側土手部４３の下面は前記補助背凭シート２５を起立させたとき当接する補助背凭支持面４４に形成しているから、補助背凭シート２５を起立させると、補助背凭シート２５の裏面は補助背凭支持面４４に当接し、補助背凭シート２５に掛かる荷重を支持する。それゆえ、ロックスプリング３５とロックプレート３１により構成した補助背凭シート２５のロック装置で十分に荷重を支持する。
【００１４】
しかして、補助背凭シート２５を起立させると、前倒し状態の背凭シート４の上面には補助シート用凹部１６が形成され、補助シート用凹部１６の底部を補助座席シート１７としているから、補助背凭シート２５と補助シート用凹部１６の底部の補助座席シート１７とにより補助シート１５ができ、着座し得る。
この場合、補助座席シート１７は、着座者の臀部の位置する部分を凹ませて臀部支持面１９に形成しているから、着座者の臀部は臀部支持面１９に嵌るように着座でき、前後方向の臀ずれが防止でき、着座感を向上させる。
また、補助座席シート１７の前後中間部には、補助座席シート１７の長さの略半分の長さでクッション材２１の外周を表皮部材２２により包囲して形成した反転式座面形成パッド体２０の基部を、補助座席シート１７の長さ方向の中間の表皮部材９に縫着して取付け、先端は自由端としているから、反転式座面形成パッド体２０を着座者の大腿部下方になるように基部のところで反転させると、臀部支持面１９が低く、着座者の大腿部の下方が高くなる傾斜となって、良好に支持し、着座姿勢を良好にして、着座感を向上させる。
【００１５】
特に、反転式座面形成パッド体２０は基部を薄く、先端に至るに従い厚く形成しているので、一層、前上りの傾斜となって、着座姿勢を良好にして着座感を向上させる。
しかして、補助シート１５は、前記したように、補助背凭シート２５と補助座席シート１７により構成するが、そのうち、補助背凭シート２５は平板状の補助背凭フレーム２６の表裏両面に補助背凭クッション材２７を設け、補助背凭クッション材２７の外周を表皮部材９により包囲して形成しているから、背中を良好なクッション性能をもって支持する。また、通常のシート１として使用した場合で、該シート１の後方にシートを設けたとき、後部席の着座者の足が補助背凭シート２５の裏面に当たっても、背凭クッション材２７の存在により不快感を与えない。
【００１６】
また、補助座席シート１７は、骨格フレーム６に設けた支持部材７の裏側に補助座席用クッション材１８を設けているから、臀部および大腿部を良好なクッション性能をもって支持する。
この場合、支持部材７の表側には通常の背凭用クッション材８を設けているから、通常のシート１として使用する場合にも、座席シート２のクッション性能を良好に確保する。
しかして、補助シート１５は、子供が着座するチャイルドシートとしての使用も、もちろん可能であり、車両用シート１の背凭シート４の裏側に補助シート１５を設けているから、運転席の側部に設けた助手席の車両用シート１に使用すると、補助シート１５の着座者と運転席の着座者とは向かい合う状態になり、チャイルドシートとしての使用に適したものとなり、子供の着座姿勢を安定させる。
【００１７】
この場合、車両用シート１はスライドレール６１により車体に対して前方位置にスライドできるので、補助シート１５の位置を一層良好にできるが、車種によっては、前倒しした背凭シート４の前部がダッシュボードシート６５に当たることがある。車両用シート１は、座席シート２の後部左右両側のアッパーブラケット５５を、スライドレール６１側に取付けたロアーブラケット５６に横軸５７により前側が上下するように回動自在に取付けているから、シート上下ロック装置５８のシート上下操作ノブ６４を引くと、係合突起５９がアッパーブラケット５５の下側係合孔６０b より外れ、車両用シート１全体は横軸５７中心に前側下方回動し、係合突起５９が上側係合孔６０a に係合して背凭シート４の前端の高さを低く保持する。
【００１８】
したがって、車両用シート１を前進させ、背凭シート４の前部をダッシュボードシート６５の下方の空間内に収容し、補助シート１５の位置を前側に位置させて、運転席と良好な位置関係にする。
また、車両用シート１全体を前側下方回動させると、補助シート１５の傾斜も後下がりになるから、ダッシュボードシート６５の下方の空間内に収容しなくとも、前側下方回動させることは有効である。
しかして、車両用シート１を前進させていたときは、元の位置に戻し、座席シート２を持ち上げると、アッパーブラケット５５の下側係合孔６０b に係合突起５９が図示は省略するがバネ弾力で係合し、座席シート２が略水平の車両用シート１として使用し得る着座可能な元の状態になる。
【００１９】
次に、反転式座面形成パッド体２０を臀部支持面１９側に反転させて、補助シート用凹部１６の底部を平坦にする。
したがって、反転式座面形成パッド体２０は補助背凭シート２５と臀部支持面１９の間に位置して、空間を有効利用して格納する。
次に、ロック解除レバー３９を押すと、ロック解除レバー３９は取付部３６中心に回動し、ロックプレート３１の使用係合溝３４に係合していた係合部３８を離脱させ、補助背凭シート２５を回動自由状態にするから倒して格納する。
そして、補助背凭シート２５を格納すると、これによりロックプレート３１の格納用係合溝３３にロックスプリング３５の係合部３８が係合し、補助背凭シート２５を格納状態で保持する。
次に、リクライニング操作レバー５１を操作して、前倒し用歯部５０に係合しているロックギヤ４８を離脱させ、背凭シート４を起立状態にすると、ロックギヤ４８がリクライニング用歯部４９に係合して保持する。
この場合、リクライニング装置５は、セクタギヤ４７にリクライニング用歯部４９および前倒し用歯部５０を形成するだけで、背凭シート４を使用状態と前倒し状態のいずれでも保持し、構成を簡単にする。
なお、上記説明において、前後左右の方向を示して説明している部分があるが、説明の便宜上のものであり、これに限定されるものではない。
【００２０】
【効果】
本発明は、固定部側に取付けた座席シート２に取付軸３により背凭シート４を回動自在に取付け、座席シート２と背凭シート４の間には前記背凭シート４が前記座席シート２上に重合する前倒状態のときロックするロック装置を設け、前記背凭シート４の裏面には該背凭シート４の長さ方向に長い補助シート用凹部１６を形成し、該補助シート用凹部１６には、不使用のとき該補助シート用凹部１６内に格納され前記背凭シート４が前倒状態のとき起立させて使用する間回動するように基部を前記背凭シート４の先端側の補助シート用凹部１６内に軸着した補助背凭シート２５と、前記補助シート用凹部１６の底部に形成した補助座席シート１７とからなる補助シート１５を設け、前記補助背凭シート２５の回動位置を保持する保持機構を前記補助背凭シート２５の軸着部に設けたものにおいて、前記前記補助シート用凹部１６と前記背凭シート４の先端部の間には上側土手部４３を形成し、該上側土手部４３の下面は前記補助背凭シート２５を起立させたとき当接する補助背凭支持面４４に形成した格納式補助シートとしたから、補助背凭シート２５を起立させると、補助背凭シート２５の裏面は補助背凭支持面４４に当接し、補助背凭シート２５に掛かる荷重を支持できる効果を奏し、それゆえ、補助背凭シート２５の回動位置を保持する保持機構も簡素に構成しても強度および荷重支持も十分確保でき、軽量化、コスト削減に貢献できる効果を奏する。また、本発明は、前記補助背凭シート２５は背凭シート４側に横軸３０により軸着し、該横軸３０には格納用係合溝３３および使用係合溝３４を形成したロックプレート３１を固定し、前記背凭シート４側には、該シート４側に回転自在取付けた取付部３６と、該取付部３６の一端に形成しシート４側に常時当接する反転部３７と、前記取付部３６の他端に形成し前記格納用係合溝３３および使用係合溝３４に係合する係合部３８と、該係合部３８に続いて形成したロック解除レバー３９とからなるロックスプリング３５を設け、前記ロックプレート３１およびロックスプリング３５により前記補助背凭シート２５の回動位置を保持する保持機構を構成した格納式補助シートとしたものであるから、補助背凭支持面４４と相俟って、単なる係合溝を形成したロックプレート３１とバネ材を折曲して形成したロックスプリング３５により補助背凭シート２５に掛かる荷重を支持できる効果を奏し、また、構成、製造、組立を頗る容易にし、軽量化、コスト削減に貢献できる効果を奏する。
本発明は、前記座席シート２と前記背凭シート４の間には該背凭シート４の傾斜角度を調節し得るリクライニング装置５を設け、該リクライニング装置５は、ロックギヤ４８が係合するセクタギヤ４７に、通常の傾斜角度を調節するリクライニング用歯部４９と背凭シート４を前倒しさせたとき係合する前倒し用歯部５０との間に無歯部を形成して構成し、該リクライニング装置５により前記背凭シート４が前記座席シート２上に重合する前倒状態のときロックするロック装置とした格納式補助シートとしたものであるから、リクライニング装置５により背凭シート４の前倒れ状態を保持でき、製造、組立が容易になり、部品点数が少なく、コストも削減でき、軽量化にも貢献できるという効果を奏する。
【図面の簡単な説明】
【図１】  補助シートの使用状態の斜視図。
【図２】  背凭シートの裏側の斜視図。
【図３】  同フレームの斜視図。
【図４】  同縦断側面図。
【図５】  図４の一部拡大図。
【図６】  ロックスプリングの格納状態の作用状態側面図。
【図７】  同使用状態の作用状態側面図。
【図８】  リクライニング装置の一部側面図。
【図９】  シート上下回動機構の斜視図。
【図１０】  シートの前倒し状態説明図。
【図１１】  前倒し状態の背凭シートの縦断側面図。
【図１２】  チャイルドシートの使用状態側面図。
【図１３】  シート上下回動機構の作用状態図。
【符号の説明】
１…シート、２…座席シート、３…取付軸、４…背凭シート、５…リクライニング装置、６…骨格フレーム、７…支持部材、８…背凭用クッション材、９…表皮部材、１０…中央背凭部、１１…土手部、１２…ヘッドレスト、１５…補助シート、１６…補助シート用凹部、１７…補助座席シート、１８…補助座席用クッション材、１９…臀部支持面、２０…反転式座面形成パッド体、２１…クッション材、２２…表皮部材、２５…補助背凭シート、２６…補助背凭フレーム、２７…補助背凭クッション材、２９…取付部、３０…横軸、３１…ロックプレート、３３…格納用係合溝、３４…使用係合溝、３５…ロックスプリング、３６…取付部、３７…反転部、３８…係合部、３９…ロック解除レバー、４３…上側土手部、４４…補助背凭支持面、４７…セクタギヤ、４９…リクライニング用歯部、４８…ロックギヤ、５０…前倒し用歯部、５１…リクライニング操作レバー、５２…バネ、５５…アッパーブラケット、５６…ロアーブラケット、５７…横軸、５８…シート上下ロック装置、５９…係合突起、６０…係合孔、６１…スライドレール、６２…アッパーレール、６３…ロアーレール、６４…シート上下操作ノブ、６５…ダッシュボードシート、６６…シートベルト。
【図１】
0003722887.tif 000002
【図２】
0003722887.tif 000003
【図３】
0003722887.tif 000004
【図４】
0003722887.tif 000005
【図５】
0003722887.tif 000006
【図６】
0003722887.tif 000007
【図７】
0003722887.tif 000008
【図８】
0003722887.tif 000009
【図９】
0003722887.tif 000010
【図１０】
0003722887.tif 000011
【図１１】
0003722887.tif 000012
【図１２】
0003722887.tif 000013
【図１３】
0003722887.tif 000014